(57)【要約】      （修正有）【課題】連続作動モード（ガス抜きモード）設定操作の一層の簡単化および、連続作動モードでの継続的なキャップ係合動作の確実化などを図る。【解決手段】キャップ６は、下側キャップ部４の膨出域４ａのみがマウンティングキャップ２と弱く係合し、上側キャップ部５の外筒内周面突状部５ｂおよび垂下壁外周面突状部５ｄがそれぞれ下側キャップ部４の突状部４ｄ，４ｆと強く係合している。キャップ６をマウンティングキャップ２から取り外して下側キャップ部４の開口域４ｇに指などを入れて上側キャップ部５の天井面５ｆを押し上げることにより、上側キャップ部５と下側キャップ部４とが簡単に分離する。次に上側キャップ部５だけをマウンティングキャップ２に押し込んでその環状クリンチ部２ｂに突状部５ｄを係合させると、操作ボタン３の操作面３ａが棒状垂下部５ｇで押下げられた状態のガス抜きモードに移行する。【選択図】図２
2008207876.tif 000002
【特許請求の範囲】
【請求項１】
エアゾール式製品を通常の作動モードに設定するための操作ボタンを保護するエアゾール用キャップにおいて、
着脱自在な形で容器本体側に取り付けられ、前記操作ボタンの通常の作動モード設定操作に際しては当該容器本体側から取外される態様の筒状部と、
分離可能な形で前記筒状部と一体化されて、当該筒状部が容器本体側に取り付けられたときに前記操作ボタンの上方に配される天井面を持つ蓋状部とを有し、
前記筒状部および前記蓋状部の少なくとも一方は、
連続作動モード設定のため、相手から分離された単独状態で前記着脱自在な形とは異なる態様により、容器本体側に取り付けられる際に、
前記操作ボタンを作動モード対応位置に移動させる駆動部分および、当該容器本体側と係合して当該操作ボタンを当該移動後の状態に保持するための被係合部分を備えている、
ことを特徴とするエアゾール用キャップ。
【請求項２】
前記蓋状部は、
前記駆動部分および前記被係合部分を備え、
前記筒状部を介して容器本体側に取り付けられているときと同じ正立態様で、当該駆動部分が前記操作ボタンを作動モード位置に移動させ、当該被係合部分が当該容器本体側に係合して保持される形のものである、
ことを特徴とする請求項１記載のエアゾール用キャップ。
【請求項３】
前記蓋状部は、
容器本体側との係合作用を呈する第１の環状垂下部分を備え、
前記駆動部分は、
前記天井面に凸状部の態様で形成され、
前記被係合部分は、
前記第１の環状垂下部分に形成されている、
ことを特徴とする請求項２記載のエアゾール用キャップ。
【請求項４】
前記蓋状部は、
容器本体側との係合作用を呈する第２の環状垂下部分およびその内側の環状天井面部分からなり、前記筒状部の、前記着脱自在な形で容器本体側に取り付けられる部分とは反対の開口域側に、第１の薄肉状部分を介して接続される態様で設けられた連続作動モード設定用の環状の外側天部と、
当該外側天部の内側に、第２の薄肉状部分を介して接続される態様で設けられた中央天部と、を備え、
前記駆動部分は、
前記外側天部の環状天井面部分であり、
前記被係合部分は、
前記外側天部の第２の環状垂下部分に形成され、
連続作動モードの設定の際には、前記第１および前記第２の薄肉状部分で前記筒状部と前記中央天部のそれぞれから分離された状態の前記外側天部が容器本体側に取り付けられる、
ことを特徴とする請求項２記載のエアゾール用キャップ。
【請求項５】
前記筒状部は、
前記駆動部分および前記被係合部分を備え、
前記着脱自在な形で容器本体側に取り付けられているときとは逆の倒立態様で、当該駆動部分が前記操作ボタンを作動モード位置に移動させ、当該被係合部分が当該容器本体側に係合して保持される形のものである、
ことを特徴とする請求項１記載のエアゾール用キャップ。
【請求項６】
前記筒状部は、
前記着脱自在な形で容器本体側に取り付けられる部分とは反対の開口域側に、環状起立部分とその内側の環状上面部分からなる連続作動モード設定部を備え、
前記駆動部分は、
前記連続作動モード設定部の環状上面部分であり、
前記被係合部分は、
前記連続作動モード設定部の環状起立部分に形成されている、
ことを特徴とする請求項５記載のエアゾール用キャップ。
【請求項７】
前記蓋状部は、
前記連続作動モード設定部の環状上面部分の内側に、第３の薄肉状部分を介して接続される態様で設けられている、
ことを特徴とする請求項６記載のエアゾール用キャップ。
【請求項８】
容器本体側に対する前記被係合部分は、
前記筒状部と前記蓋状部とが一体化されるときの係合作用も呈する、
ことを特徴とする請求項１乃至３，請求項５，請求項６のいずれかに記載のエアゾール用キャップ。
【請求項９】
請求項１乃至８のいずれかに記載のエアゾール用キャップを備え、かつ、噴射用ガスおよび内容物を収納した、
ことを特徴とするエアゾール式製品。
【発明の詳細な説明】
【技術分野】
【０００１】
本発明は、エアゾール式製品に用いられる連続作動モード設定機能を備えたエアゾール用キャップなどに関する。
【０００２】
特にエアゾール用キャップを、着脱自在な形で容器本体側に取り付けられ、操作ボタンの通常の作動モード設定操作に際しては容器本体側から取外される態様の筒状部と、分離可能な形で当該筒状部と一体化される蓋状部と、で構成したものである。
【０００３】
そして、通常の使用態様、すなわちガス抜きなどの連続作動モードを設定する場合を除いた態様では、勿論、これらの筒状部および蓋状部を一体化させた本来のキャップとして使用する。
【０００４】
連続作動モード設定では容器本体側からこの一体物のキャップを取り外し、その構成要素である筒状部と蓋状部両者とを別々にしてからその一方を容器本体側に取り付けることにより、操作ボタンを作動モード位置に継続して保持できるようにしたエアゾール用キャップに関するものである。
【０００５】
本明細書では、
・「静止モード」の語を、エアゾール容器のバルブが閉じて容器内部と外部空間とが連通していない初期状態を示す意で用い、
・「作動モード」の語を、操作ボタンに対する噴射操作といわば１対１の対応関係にたつ内容物などの噴射状態（エアゾール容器のバルブが開いて容器内部側と外部空間とが連通した状態）を示す意で用い、
・「連続作動モード」の語を、操作ボタンが作動モード対応位置に強制的に保持されたままとなって、ガス，内容物などが続けて噴射される連続噴射状態を示す意で用い、
・「作動モード対応位置」の語を、利用者などが操作ボタンを操作した作動モードのときと略同じ位置（＝作動モードにおける操作ボタンの停止位置のように利用者の操作の程度の違いに基づくばらつきが観念されにくい位置）を示す意で用い、
・「キャップ」の語を、エアゾール容器本体側（マウンティングキャップなど）に着脱自在な形で取り付けられて、作動モード設定の際には当該容器本体側から前もって取り外されるタイプの操作ボタン保護用部材を示す意で用い、
・「通常の使用段階」の語を、エアゾール式製品の連続作動モード以外の状態を示す意で用いている。
【０００６】
また、「上」および「下」の語を、操作ボタンの移動方向における位置関係を示す意で用い、「上」は操作ボタンが作動モードから静止モードに復帰するときの移動先側であり、「下」はこの移動先とは反対の側である。
【０００７】
なお、エアゾール式製品の連続作動モードが設定された場合、容器内容物をまだ使い切っていないときは内容物連続噴射状態となり、容器内容物を略使い切っているときはガス抜き状態となる。
【０００８】
内容物連続噴射状態とガス抜き状態とはもっぱら用途上の違いにすぎず、エアゾール式製品の動作機構としては、これら各状態はともにアクチュエータ（操作ボタン，ステムなど）がその作動位置に継続的に保持されているものである。すなわち当該各状態のそれぞれにおけるバルブ機構などの動作メカニズムの違いはない。
【０００９】
一般にガス抜きモードの設定は、使用済みエアゾール容器を廃棄するときに初めて必要となり、まだ容器に内容物が存在している通常の使用段階では不要なものである。
【００１０】
そのため、ガス抜きモードの保持機構は、エアゾール式製品の通常の使用段階では内容物噴射動作の障害とならず、利用者からみた場合のいわば目障りにもならずに、そしてガス抜きモードの設定操作自体は利用者が簡単に行えることが望ましい。
【００１１】
また、比較的長時間にわたってエアゾール式製品を連続噴射モードに設定する場合に、利用者がそのための操作自体を継続的に行わなくても済むことが望ましい。
【００１２】
また、連続噴射モードにおける噴射口前方空間の状況を作動モードのそれと略同様に設定して内容物や残留噴射ガスなどが安定した流れ状態にて噴射されることが望ましい。
本発明はこのような要請に応えるものである。
【背景技術】
【００１３】
従来、エアゾール容器のマウンティングキャップに嵌合（係合）した筒状の中蓋の上に天井面付きで鞘状の外蓋（本願発明のキャップに相当）を着脱自在な形で取り付け、この外蓋のみをマウンティングキャップに嵌合させることにより、当該外蓋の天井面で操作ボタンを作動モード位置に移動させて保持するようにしたガス抜きモード設定機構が提案されている（特許文献１参照）。
【００１４】
このガス抜きモード設定機構の場合、作動モードを設定する際に利用者が取り外すのは外蓋のみである。
【００１５】
すなわち、マウンティングキャップに強く嵌合した中蓋は作動モードにおいても元の静止モードの状態に保持されたままであり、利用者はこの中蓋に弱く嵌合している外蓋を当該中蓋から取り外して操作ボタンを露出させて押圧可能状態とする。
【００１６】
エアゾール式製品をガス抜きモードに設定する場合、マウンティングキャップに強く嵌合している中蓋を利用者が取り外した上で、外蓋における中蓋との嵌合部分を、当該マウンティングキャップの、取外し前の静止モードおよび作動モードでは中蓋が嵌合していたいわば共通の被嵌合部分に、新たに嵌合させている。
【００１７】
すなわち外蓋の嵌合部分は、通常の静止モードでは利用者が中蓋から簡単に取り外せるように当該中蓋に対して弱く嵌合する一方、ガス抜きモードでは操作ボタンをその押下げ位置に確実に保持できるようにマウンティングキャップに強く嵌合する、といった二つの相反する作用を兼ね備えたものである。
【００１８】
また、マウンティングキャップに対して強い嵌合状態にある中蓋を利用者が取り外してガス抜きモードに移行できるように、当該中蓋には、「中蓋の外周面壁は肉薄にして上方に突設縁を形成し、この突設縁に指を掛けて中蓋をエアゾール缶から取り外しやすい」という新たな構成要素が付加されている。
【特許文献１】実公平５−３５１０２号公報
【発明の開示】
【発明が解決しようとする課題】
【００１９】
以上の外蓋（キャップ）を利用したガス抜き機構の場合、当該外蓋が着脱自在に取り付けられる中蓋をその強い嵌合相手であるマウンティングキャップから取り外すことが前提になっているため、ガス抜きモードを設定する利用者にとってその作業が簡単ではなく利便性に欠け、この中蓋自体にも上述の「突設縁」のような指掛け部分を余分に設けざるをえないなどの問題点があった。
【００２０】
また、外蓋（キャップ）における中蓋との嵌合部分およびマウンティングキャップとの嵌合部分がいわば完全に兼用されているため、外蓋と中蓋との弱い嵌合状態および、外蓋と中蓋それぞれのマウンティングキャップとの強い嵌合状態を最適に設定することが簡単ではない、という問題点があった。
【００２１】
そこで本発明では、先ずキャップ自体を、着脱自在な形で容器本体側に取り付けられる筒状部および、分離可能な形でこの筒状部と一体化される蓋状部により構成している。
【００２２】
そして、キャップの通常の使用段階では筒状部および蓋状部を一体化しておき、ガス抜きなどの連続作動モードの設定に際しては、容器本体側から（通常のキャップと同じように容易に）取り外された一体キャップを筒状部と蓋状部とに分離した上でその一方を容器本体側に取り付け、そのときの係合作用により操作ボタンが作動モード対応位置にいわば強制的に継続保持されるようにして、連続作動モード設定操作の一層の簡単化を図ることを目的とする。
【００２３】
また、静止モードにおいて容器本体側に着脱自在な形で弱く係合する第１の被係合部分（＝筒状部の一部）と、連続作動モードにおいて容器本体側に簡単には取外されない形で強く係合する第２の被係合部分（＝筒状部または蓋状部の一部）とを、それぞれの役割に合致した形で個々に設けて、通常の使用段階におけるキャップ着脱動作の円滑化および、連続作動モードでの継続的なキャップ係合動作の確実化がともに担保されることを目的とする。
【００２４】
また、図１５に示すように、蓋状部の環状縁部分およびその下面に形成された被係合用の環状垂下部の範囲を当該蓋状部から分離し、この分離後の環状部材で操作ボタンを通常の作動モードと同様の噴射口前方開放状態のまま作動モード対応位置に連続保持して、連続作動モードにおける内容物，噴射用ガスの噴射口からの自然流が確保されることを目的とする。
【課題を解決するための手段】
【００２５】
本発明は、以上の課題を次のようにして解決する。
〔１〕エアゾール式製品を通常の作動モードに設定するための操作ボタン（例えば後述の操作ボタン３）を保護するエアゾール用キャップ（例えば後述のキャップ６，９，９’，１２，１５）において、
着脱自在な形で容器本体側（例えば後述のマウンティングキャップ２の外側端部２ａ）に取り付けられ、前記操作ボタンの通常の作動モード設定操作に際しては当該容器本体側から取外される態様の筒状部（例えば後述の下側キャップ部４，７，７’，筒状部１０，１３）と、
分離可能な形で前記筒状部と一体化されて、当該筒状部が容器本体側に取り付けられたときに前記操作ボタンの上方に配される天井面（例えば後述の天井面５ｆ，８ｅ，８ｅ’，１１ｂ，１４ｈ）を持つ蓋状部（例えば後述の上側キャップ部５，８，８’，蓋状部１１，１４）とを有し、
前記筒状部および前記蓋状部の少なくとも一方は、
連続作動モード設定のため、相手から分離された単独状態で容器本体側（例えば後述のマウンティングキャップ２のクリンチ部２ｂ）に取り付けられる際に、
前記操作ボタンを作動モード対応位置に移動させる駆動部分（例えば後述の棒状垂下部５ｇ，内端側上面７ｊ，７ｊ’，１０ｇ，内端側天井面１４ｄ）および、当該容器本体側と係合して当該操作ボタンを当該移動後の状態に保持するための被係合部分（例えば後述の垂下壁外周面突状部５ｄ，１４ｃ，起立壁外周面突状部７ｇ，７ｇ’，１０ｅ）を備えている。
〔２：図１，図１３参照〕
上記〔１〕において、
前記蓋状部（例えば後述の上側キャップ部５，蓋状部１４）は、
前記駆動部分（例えば後述の棒状垂下部５ｇ，内端側天井面１４ｄ）および前記被係合部分（例えば後述の垂下壁外周面突状部５ｄ，１４ｃ）を備え、
前記筒状部を介して容器本体側に取り付けられているときと同じ正立態様で、当該駆動部分が前記操作ボタンを作動モード位置に移動させ、当該被係合部分が当該容器本体側に係合して保持される形のものである。
〔３：図１参照〕
上記〔２〕において、
前記蓋状部（例えば後述の上側キャップ部５）は、容器本体側との係合作用を呈する第１の環状垂下部分（例えば後述の内側・環状の垂下壁５ｃ）を備え、
前記駆動部分（例えば後述の棒状垂下部５ｇ）は、前記天井面に凸状部の態様にて形成され、
前記被係合部分（例えば後述の垂下壁外周面突状部５ｄ）は、前記第１の環状垂下部分に形成されている。
〔４：図１３参照〕
上記〔２〕において、
前記蓋状部（例えば後述の蓋状部１４）は、
容器本体側との係合作用を呈する第２の環状垂下部分（例えば後述の垂下壁１４ｂ）およびその内側の環状天井面部分（例えば後述の内端側天井面１４ｄ）からなり、前記筒状部の、前記着脱自在な形で容器本体側に取り付けられる部分とは反対の開口域側に、第１の薄肉状部分（例えば後述の外側薄肉状連結部１３ｂ）を介して接続される態様で設けられた連続作動モード設定用の環状の外側天部（例えば後述の外側蓋部材１４ａ）と、
当該外側天部の内側に、第２の薄肉状部分（例えば後述の内側薄肉状連結部１４ｇ）を介して接続される態様で設けられた中央天部（例えば後述の中央蓋部材１４ｆ）と、
を備え、
前記駆動部分（例えば後述の後述の内端側天井面１４ｄ）は、前記外側天部の環状天井面部分であり、
前記被係合部分（例えば後述の垂下壁外周面突状部１４ｃ）は、前記外側天部の第２の環状垂下部分（例えば後述の垂下壁１４ｂ）に形成され、
連続作動モードの設定の際には、前記第１および前記第２の薄肉状部分で前記筒状部と前記中央天部のそれぞれから分離された状態の前記外側天部が容器本体側に取り付けられた形をとる。
〔５：図４，図７，図１０参照〕
上記〔１〕において、
前記筒状部（例えば後述の下側キャップ部７，７’，筒状部１０）は、
前記駆動部分（例えば後述の内端側上面７ｊ，７ｊ’，１０ｇ）および前記被係合部分（例えば後述の起立壁外周面突状部７ｇ，７ｇ’，１０ｅ，）を備え、
前記着脱自在な形で容器本体側に取り付けられているときとは逆の倒立態様で、当該駆動部分が前記操作ボタンを作動モード位置に移動させ、当該被係合部分が当該容器本体側に係合して保持される形のものである、
〔６：図４，図７，図１０参照〕
上記〔５〕において、
前記筒状部（例えば後述の下側キャップ部７，７’，筒状部１０）は、前記着脱自在な形で容器本体側に取り付けられる部分とは反対の開口域側に、環状起立部分（例えば後述の起立壁７ｆ，７ｆ’，１０ｄ）とその内側の環状上面部分（例えば後述の内端側上面７ｊ，７ｊ’，１０ｇ）からなる連続作動モード設定部を備え、
前記駆動部分（例えば後述の内端側上面７ｊ，７ｊ’，１０ｇ）は、前記連続作動モード設定部の環状上面部分であり、
前記被係合部分（例えば後述の起立壁外周面突状部７ｇ，７ｇ’，１０ｅ）は、前記連続作動モード設定部の環状起立部分に形成されている、
〔７：図１０参照〕
上記〔６〕において、
前記蓋状部（例えば後述の蓋状部１１）は、前記連続作動モード設定部の環状上面部分の内側に、第３の薄肉状部分（例えば後述の薄肉状連結部１１ａ）を介して接続される態様で設けられている。
〔８：図１，図４，図７参照〕
上記〔１〕，〔２〕，〔３〕，〔５〕，〔６〕において、
容器本体側に対する前記被係合部分（例えば後述の垂下壁外周面突状部５ｄ，起立壁外周面突状部７ｇ，７ｇ’）は、前記筒状部（例えば後述の下側キャップ部４，７，７’）と前記蓋状部（例えば後述の上側キャップ部５，８，８’）とが一体化されるときの係合作用も呈するものである。
【００２６】
このような構成からなるエアゾール用キャップおよび、後述のように当該キャップを備えたエアゾール式製品を本発明の対象としている。
【発明の効果】
【００２７】
本発明は、このようにキャップ自体を、着脱自在な形で容器本体側に取り付けられる筒状部と、分離可能な形でこの筒状部と一体化される蓋状部とで構成している。
【００２８】
そして、キャップの通常の使用段階では筒状部および蓋状部を一体化しておき、ガス抜きなどの連続作動モードの設定に際しては、容器本体側から（通常のキャップと同じように容易に）取り外された一体キャップを筒状部と蓋状部とに分離した上でその一方を容器本体側に取り付け、そのときの係合作用により操作ボタンが作動モード対応位置にいわば強制的に継続保持されるようにしている。
これにより、連続作動モード設定操作の一層の簡単化を図ることができる。
【００２９】
また、静止モードにおいて容器本体側に着脱自在な形で弱く係合する第１の被係合部分（＝筒状部の一部）と、連続作動モードにおいて容器本体側に簡単には取外されない形で強く係合する第２の被係合部分（＝筒状部または蓋状部の一部）とを、それぞれの役割に合致した形で個々に設けている。
これにより、通常の使用段階におけるキャップ着脱動作の円滑化および、連続作動モードでの継続的なキャップ係合動作の確実化をともに担保することができる。
【００３０】
また、蓋状部の環状縁部分およびその下面に形成された被係合用の環状垂下部の範囲を当該蓋状部の全体から分離し、この分離後の環状部材で操作ボタンを通常の作動モードと同様の噴射口前方開放状態のまま作動モード対応位置に連続保持している。
これにより、連続作動モードにおける内容物，噴射用ガスの噴射口からの自然流を確保することができる。
【発明を実施するための最良の形態】
【００３１】
図１乃至図１５を用いて本発明を実施するための最良の形態を説明する。
【００３２】
これまでも繰り返し述べたように、本発明は、ガス抜きや内容物連続噴射といった連続作動モードの設定機能を備えたエアゾール用キャップに関するものである。
【００３３】
このキャップの作用により、エアゾール式製品がガス抜きモードまたは内容物連続噴射モードの何れに設定されているかということは、いわば利用者の意識の違いにすぎず、連続作動モード設定機構の動作メカニズム自体はいずれの使用状態でも同じである。
【００３４】
以下の説明では単なる説明の便宜上、必要に応じて、噴射用ガスを単に「ガス」と略記し、ガス抜きモードに設定する場合を前提とする。
【００３５】
なお、以下の「（噴射用）ガス」，「ガス抜き」の用語をそれぞれ「内容物」，「内容物連続噴射」に置き換えても個々の説明内容の妥当性が担保されるのは勿論である。
【００３６】
ここで、
図１は、第１のキャップ（上側部分＋下側部分）の筒状の下側キャップ部とマウンティングキャップとの弱係合状態（静止モード）を示し、
図２は、図１のキャップをマウンティングキャップから取り外した状態を示し、
図３は、図２の離脱キャップから取り外された蓋状の上側キャップ部とマウンティングキャップとの強係合状態（ガス抜きモード）を示し、
図４は、第２のキャップ（上側部分＋下側部分）の筒状の下側キャップ部とマウンティングキャップとの弱係合状態（静止モード）を示し、
図５は、図４のキャップをマウンティングキャップから取り外した状態を示し、
図６は、図５の離脱キャップから取り外されて上下反転状態の筒状の下側キャップ部とマウンティングキャップとの強係合状態（ガス抜きモード）を示し、
図７は、第３のキャップ（上側部分＋下側部分）の筒状の下側キャップ部とマウンティングキャップとの弱係合状態（静止モード）を示し、
図８は、図７のキャップをマウンティングキャップから取り外した状態を示し、
図９は、図８の離脱キャップから取り外されて上下反転状態の筒状の下側キャップ部と、マウンティングキャップとの強係合状態（ガス抜きモード）を示している。
図１０は、第４のキャップ（蓋状部＋筒状部）の筒状部とマウンティングキャップとの弱係合状態（静止モード）を示し、
図１１は、図１０のキャップをマウンティングキャップから取り外した状態を示し、
図１２は、図１１の離脱キャップから取りされて上下反転状態の筒状部とマウンティングキャップとの強係合状態（ガス抜きモード）を示し、
図１３は、第５のキャップ（蓋状部＋筒状部）の筒状部とマウンティングキャップとの弱係合状態（静止モード）を示し、
図１４は、図１３のキャップをマウンティングキャップから取り外した状態を示し、
図１５は、図１４の離脱キャップから取り外された蓋状部とマウンティングキャップとの強係合状態（ガス抜きモード）を示している。
【００３７】
なお、以下のアルファベット付き参照番号の構成要素（例えば外側環状端部２ａ）は原則として、当該参照番号の数字部分の構成要素（例えばマウンティングキャップ２）の一部であることを示している。
【００３８】
図１乃至図１５において、
１は後述の内容物および噴射用ガスを収納したエアゾール式製品の容器本体，
２は容器本体１の開口端部側に取り付けられたマウンティングキャップ，
２ａは静止モード（図１，図４，図７，図１０，図１３参照）において後述の膨出域４ａ，７ｂ，７ｂ’，１０ｂ，１３ａが着脱自在な態様で係合する環状の外側端部，
２ｂはガス抜きモード（図３，図６，図９，図１２，図１５参照）において後述の垂下壁外周面突状部５ｄ，起立壁外周面突状部７ｇ，７ｇ’，１０ｅや垂下壁外周面突状部１４ｃが強く係合する環状のクリンチ部，
３は周知のバルブ機構（図示省略）の構成要素であるステムに取り付けられて押圧操作により上下動するタイプの操作ボタン，
３ａは利用者が押圧操作する面部分であって、ガス抜きモードのとき後述の棒状垂下部５ｇ（図３参照）によって押圧される操作面，
３ｂは内容物やガスの噴射孔，
３ｃはガス抜きモードのとき後述の内端側上面７ｊ，７ｊ’，１０ｇ（図６，図９，図１２参照）や内端側天井面１４ｄ（図１５参照）によって押圧される環状段部，
をそれぞれ示している。
【００３９】
また、図１乃至図３において、
４は図１の静止モードのとき、マウンティングキャップ２とは着脱自在な態様で弱く係合し、後述の上側キャップ部５とは取外し可能な態様で強く係合する下側キャップ部（筒状部），
４ａは当該下側キャップ部の内周面の下端側部分に形成されてマウンティングキャップ２の外側端部２ａと弱く係合する複数の膨出域，
４ｂは下側キャップ部４の細幅の環状天板部分，
４ｃは当該環状天板部分の外端側に形成された起立筒，
４ｄは当該起立筒の外周面に形成され静止モードにおいて後述の上側キャップ部５の外筒内面突状域５ｂが係合する環状の起立筒外周面突状部，
４ｅは環状天板部分４ｂの内端に形成された垂下筒，
４ｆは当該垂下筒の内周面に形成され静止モードにおいて後述の上側キャップ部５の内筒外周面突状部５ｄと係合する環状の垂下筒内周面突状部，
４ｇは垂下筒４ｅの内側に形成された操作ボタン受入用の開口域，
５は図１の静止モードのときには下側キャップ部４と強く係合して操作ボタン３を保護し、また図３のガス抜きモードのときにはマウンティングキャップ２と強く係合して操作ボタン３をその作動モード対応位置に押圧保持する鞘状の上側キャップ部（蓋状部），
５ａは当該上側キャップ部の構成要素である外筒，
５ｂは当該外筒の内周面下端の周方向に形成され静止モードにおいて下側キャップ部４の起立筒外周面突状部４ｄと係合する複数の外筒内周面突状部，
５ｃは上側キャップ部５の構成要素である内側・環状の垂下壁，
５ｄは当該垂下壁の外周面下端の周方向に形成され、静止モードにおいては下側キャップ部４の垂下筒内周面突状部４ｆと、またガス抜きモードにおいてはマウンティングキャップ２のクリンチ部２ｂとそれぞれ強く係合する複数の垂下壁外周面突状部，
５ｅは垂下壁５ｃの下側に形成されて図３のガス抜きモードのときに噴射孔３ｂから噴射されるガスの通路域として作用する複数の開口部，
５ｆは上側キャップ部５の天井面，
５ｇは当該天井面の略中央に形成されて図３のガス抜きモードのときに操作ボタン３の押下げ部材として作用する棒状垂下部，
６は下側キャップ部４および上側キャップ部５からなる第１のキャップ，
をそれぞれ示している。
【００４０】
また、図４乃至図９において、
７，７’は図４，図７の静止モードのときにはマウンティングキャップ２と着脱自在な態様で弱く係合、かつ後述の上側キャップ部８と取外し可能な態様で強く係合し、また図６，図９のガス抜きモードのときにはマウンティングキャップ２と強く係合して操作ボタン３をその作動モード対応位置に押圧保持する下側キャップ部（筒状部），
７ａ，７ａ’は当該下側キャップ部の構成要素である大径筒，
７ｂ，７ｂ’は当該大径筒の内周面の下端側に形成されてマウンティングキャップ２の外側端部２ａと弱く係合する複数の膨出域，
７ｃは大径筒７ｃの上端側部分に続く中径筒，
７ｄは当該中径筒の外周面に形成され静止モードにおいて後述の上側キャップ部８の外筒内周面突状部８ｂと係合する環状の中径筒外周面突状部，
７ｅ，７ｅ’は下側キャップ部７，７’の環状の天板部分，
７ｆ，７ｆ’は当該天板部分の上面側に形成された小径で環状の起立壁，
７ｇ，７ｇ’は当該起立壁の外周面上端の周方向に形成され静止モードにおいては上側キャップ部８の内筒内周面突状部８ｄと、またガス抜きモードにおいてはマウンティングキャップ２のクリンチ部２ｂとそれぞれ強く係合する複数の起立壁外周面突状部，
７ｈ，７ｈ’は起立壁７ｆ，７ｆ’の上側部分の周方向に間歇的に形成された開口部，
７ｊ，７ｊ’は起立壁７ｆ，７ｆ’より内側の天板部分の上面であって、ガス抜きモードのときに操作ボタン３の押下げ部として作用する環状の内端側上面，
７ｋ，７ｋ’は天板部分７ｅ，７ｅ’の内側に形成された操作ボタン受入用の開口域，
８，８’は図４，図７の静止モードのときに下側キャップ部７と強く係合して操作ボタン３を保護する鞘状の上側キャップ部（蓋状部），
８ａ，８ａ’は当該上側キャップ部の構成要素である外筒，
８ｂは当該外筒の内周面下端の周方向に形成され静止モードのときに下側キャップ部７の中径筒外周面突状部７ｄと係合する複数の外筒内周面突状部，
８ｃ，８ｃ’は上側キャップ部８，８’の構成要素である内筒，
８ｄ，８ｄ’は当該内筒の内周面下端の周方向に形成され静止モードのときに下側キャップ部７，７’の起立壁外周面突状部７ｇ，７ｇ’と係合する環状の内筒内周面突状部，
８ｅ，８ｅ’は上側キャップ部８，８’の天井面，
９，９’は下側キャップ部７，７’および上側キャップ部８，８’からなる第２，第３のキャップ，
をそれぞれ示している。
【００４１】
また、図１０乃至図１２において、
１０は後述の蓋状部１１と切取り可能な態様で連結され、図１０の静止モードのときにはマウンティングキャップ２と着脱自在な態様で弱く係合し、また図１２のガス抜きモードのときにはマウンティングキャップ２と強く係合して操作ボタン３をその作動モード対応位置に押圧保持する筒状部，
１０ａは当該筒状部の構成要素である胴体部分，
１０ｂは当該胴体部分の内周面の下端側部分に形成されてマウンティングキャップ２の外側端部２ａと弱く係合する複数の膨出域，
１０ｃは筒状部１０の環状の天板部分，
１０ｄは当該天板部分の上面側に形成された小径で環状の起立壁，
１０ｅは当該起立壁の外周面に形成されてガス抜きモードのときにマウンティングキャップ２のクリンチ部２ｂと強く係合する複数の起立壁外周面突状部，
１０ｆは起立壁１０ｄの上側部分の周方向に間歇的に形成された開口部，
１０ｇは起立壁１０ｄより内側の天板部分の上面であってガス抜きモードのときに操作ボタン３の押下げ部として作用する環状の内端側上面，
１０ｈはガス抜きモードのときに天板部分１０ｃの内側に設定される操作ボタン受入用の開口域，
１１は天板部分１０ｃの内側端部に切り取り可能な形で設けられた蓋状部，
１１ａは天板部分１０ｃの内側端部と当該蓋状部との間に形成され、ガス抜きモード設定の際には切り取られてしまう薄肉状連結部，
１１ｂは蓋状部１１の天井面，
１２は筒状部１０および蓋状部１１からなる第４のキャップ，
をそれぞれ示している。
【００４２】
また、図１３乃至図１５において、
１３は後述の蓋状部１４と切取り可能な態様で連結され、図１３の静止モードのときにはマウンティングキャップ２と着脱自在な態様で弱く係合し、また図１５のガス抜きモードのときには使用されない形の筒状部，
１３ａは当該筒状部の内周面の下端側部分に形成されてマウンティングキャップ２の外側端部２ａと弱く係合する複数の膨出域，
１３ｂは筒状部１２の内周面上端部と後述の蓋状部１４の外側環状部材１４ａとの間に形成され、ガス抜きモード設定の際には切り取られてしまう外側薄肉状連結部，
１４は当該外側薄肉状連結部により筒状部１３に接続された蓋状部，
１４ａは当該蓋状部の構成要素であってガス抜きモードのときに操作ボタン３を作動モード対応位置に保持する環状の外側蓋部材，
１４ｂは当該外側蓋部材の天井面に形成された、筒状部１３よりも小径で環状の垂下壁，
１４ｃは当該垂下壁の外周面に形成されてガス抜きモードのときにマウンティングキャップ２のクリンチ部２ｂと強く係合する複数の垂下壁外周面突状部，
１４ｄは垂下壁１４ｂより内側の天井面であってガス抜きモードのときに操作ボタン３の押下げ部として作用する環状の内端側天井面，
１４ｅは垂下壁１４ｂの下側部分の周方向に間歇的に形成された開口部，
１４ｆは外側蓋部材１４ａの内側に設けられた中央蓋部材，
１４ｇは当該中央蓋部材の外端部分と外側蓋部材１４ａの内端部分との間に形成され、ガス抜きモード設定の際には切り取られてしまう内側薄肉状連結部，
１４ｈは蓋状部１４の天井面，
１４ｊはガス抜きモードのときに外側蓋部材１４ａの内側に設定される操作ボタン受入用の開口域，
１５は筒状部１３および蓋状部１４からなる第５のキャップ，
をそれぞれ示している。
【００４３】
ここで、操作ボタン３，下側キャップ部４，７，７’，上側キャップ部５，８，８’，筒状部１０，１３および蓋状部１１，１４などは例えばポリプロピレン，ポリエチレン，ポリアセタール，ナイロン，ポリブチレンテレフタレートなどからなるプラスチック製の、例えば一体成形品である。容器本体１やマウンティングキャップ２は例えば金属製のものである。
【００４４】
図１〜図１５の第１，第２，第３，第４および第５の各キャップを大別すると次のようになる。
(1)いわば形態的にみると、
・第１〜第３のキャップ６，９，９’はそれぞれ上側キャップ部（蓋状部）５，８，８’と下側キャップ部（筒状部）４，７，７’との二つの部材からなり、
・一方、第４および第５のキャップ１２，１５はともに単一部材（＝蓋状部１１，１４＋筒状部１０，１３）からなっている。
(2)いわば機能的にみると、
・第１および第５のキャップ６，１５の場合、下側キャップ部４や筒状部１０から分離された後の上側キャップ部５や外側蓋部材１４ａがその正立状態のままで、すなわち反転されることなしにマウンティングキャップ２のクリンチ部２ｂに係合され、
・一方、第２〜第４のキャップ９，９’１２の場合、上側キャップ部８，８’や蓋状部１１から分離された後の下側キャップ部７，７’や筒状部１０を反転させた倒立状態でマウンティングキャップ２のクリンチ部２ｂに係合されている。
【００４５】
図１の静止モードでは、
(11)下側キャップ部４は、その膨出域４ａのみがマウンティングキャップ２の外側端部２ａと弱く係合し、
(12)上側キャップ部５は、その外筒内周面突状部５ｂおよび垂下壁外周面突状部５ｄの二つの構成要素がそれぞれ下側キャップ部４の起立筒外周面突状部４ｄおよび垂下筒内周面突状部４ｆと（トータルとして）強く係合した、
態様になっている。
【００４６】
そのため、利用者が、図１の静止モードのキャップ６をマウンティングキャップ２から取り外すために上側キャップ部５のみを上方に動かしたとしても、当該上側キャップ部が下側キャップ部４から外れてしまうようなことはなく、キャップ６の全体がマウンティングキャップ２から離脱する。
【００４７】
利用者が、この単一キャップの形でマウンティングキャップ２から取り外されたキャップ６（図２参照）をその下側キャップ部４と上側キャップ部５とに分離するには、例えば左手で当該下側キャップ部の外周面を持って右手の指や棒状のものなどを当該下側キャップ部の開口域４ｇに入れて当該上側キャップ部の天井面５ｆを押し上げればよい。
【００４８】
この押上げ操作により、下側キャップ部４と上側キャップ部５との間の上記(12)の各係合状態は解除される。
【００４９】
そして、この解除後の上側キャップ部５のみを正立状態のままマウンティングキャップ２に係合させると、ガス抜きモードに移行する。
【００５０】
図３のガス抜きモードでは、
(21)上側キャップ部５の垂下壁外周面突状部５ｄがマウンティングキャップ２の環状クリンチ部２ｂに強く係合し、
(22)上側キャップ部５の棒状垂下部５ｇが操作ボタン３の操作面３ａを押圧して作動モード対応位置まで押し下げた、
態様になっている。このとき、操作ボタン３の下側外周面部分は上側キャップ部５の垂下壁５ｃの内周面で保持される。
【００５１】
そして、この操作ボタン３の作動モード対応位置への押下げ状態は上記(21)の係合作用により継続する。
【００５２】
そのため、容器本体１の残留ガスはステム，噴射孔３ｂなどを経て放出され、さらには「垂下壁５ｃや天井面５ｆで囲まれた内部空間域−開口部５ｅ−マウンティングキャップの外端部分と外筒５ａの下端部分との隙間空間域」などを経て外部空間へと移動する。
【００５３】
なお、開口部５ｅは、図３の上側キャップ部５の係合状態で上端部分が当該マウンティングキャップに当接することのない高さに設定されている。
【００５４】
図４乃至図６のキャップ９は上側キャップ部８ではなく下側キャップ部７をガス抜きモード設定のために使用する点で、図１〜図３のキャップ６と異なる。
【００５５】
図４の静止モードでは、
(31)下側キャップ部７は、その膨出域７ｂのみがマウンティングキャップ２の外側環状端部２ａと弱く係合し、
(32)上側キャップ部８は、その外筒内周面突状部８ｂおよび内筒内周面突状部８ｄの二つの構成要素がそれぞれ下側キャップ部７の中径筒外周面突状部７ｄおよび起立壁外周面突状部７ｇと（トータルとして）強く係合した、
態様になっている。
【００５６】
そのため、利用者が、図４の静止モードのキャップ９をマウンティングキャップ２から取り外すために上側キャップ部８のみを上方に動かしたとしても、当該上側キャップ部が下側キャップ部７から外れてしまうようなことはなく、キャップ９の全体がマウンティングキャップ２から離脱する。
【００５７】
利用者が、この単一キャップの形でマウンティングキャップ２から取り外されたキャップ９（図５参照）をその下側キャップ部４と上側キャップ部５とに分離するには、図２のキャップ６と同じように当該上側キャップ部の天井面８ｅを押し上げればよい。
【００５８】
この押上げ操作により、下側キャップ部７と上側キャップ部８との間の上記(32)の各係合状態は解除される。
【００５９】
そして、この解除後の下側キャップ部７を上下逆にした倒立状態でウンティングキャップ２に係合させると、ガス抜きモードに移行する。
【００６０】
図６のガス抜きモードでは、
(41)下側キャップ部７の起立壁外周面突状部７ｇがマウンティングキャップ２の環状クリンチ部２ｂに強く係合し、
(42)下側キャップ部７の開口域７ｋが操作ボタン３の上側部分を通過した状態で、当該下側キャップ部の内端側上面７ｊが当該操作ボタンの環状段部３ｃを押圧して作動モード対応位置まで押し下げた、
態様になっている。このとき、操作ボタン３の下側外周面部分は下側キャップ部７の起立壁７ｆの内周面で保持される。
【００６１】
そして、この操作ボタン３の作動モード対応位置への押下げ状態は上記(41)の係合作用により継続し、容器本体１の残留ガスはステム，噴射孔３ｂなどを経て放出され、上部の外部空間へと移動していく。
【００６２】
図７至図９の第３のキャップ９’は、静止モードにおける下側キャップ部７’と上側キャップ部８’との係合部分が起立壁外周面突状部７ｇ’および内筒内周面突状部８ｄ’の間のみとなっている点などで、図４〜図６の第２のキャップ９と異なっている。
【００６３】
ガス抜きモードへの移行動作および、ガス抜きモードでの係合保持作用や残留ガスの流れなどはキャップ９の場合と同様である。
【００６４】
なお、上述の「弱く係合」および「強く係合」などの表現はあくまで相対的なものである。要は、下側キャップ部４，７，７’はマウンティングキャップ２から通常のエアゾールキャップと同じように利用者が簡単に取り外せ、一方、上側キャップ部５，８，８’は下側キャップ部４，７，７’やマウンティングキャップ２から利用者がそれほど簡単には取り外せない、といった形の係合であることを示している。
【００６５】
また、以上のキャップ６，９，９’の全体は、図１，図２，図４，図５，図７および図８からも明らかなように下側キャップ部４，７，７’および上側キャップ部５，８，８’それぞれの外周面がいわば「面一」の状態であって、単一キャップとしての外観を呈している。
【００６６】
利用者が、この単一キャップの形でマウンティングキャップ２から取り外されたキャップ６，９，９’（図２，図５，図８参照）をその下側キャップ部４，７，７’と上側キャップ部５，８，８’とに分離するには、上述したように指や棒状のものなどを当該下側キャップ部の開口域４ｇ，７ｋ，７ｋ’に入れて当該上側キャップ部の天井面５ｆ，８ｅ，８ｅ’を押し上げればよい。
【００６７】
図１０乃至図１５の第４，第５のキャップ１２，１５は、先ずその筒状部１０，１３および蓋状部１１，１４が一体成形された単一部材からなっている点で、図１〜図９のキャップ６，９，９’と異なっている。
【００６８】
図１０乃至図１２のキャップ１２に関する図１０の静止モードでは、
(51)筒状部１０の膨出域１０ｂのみがマウンティングキャップ２の外側環状端部２ａと上述のように弱く係合し、
(52)蓋状部１１は、その薄肉状連結部１１ａによって筒状部１０（内端側上面１０ｇ）と一体化した、
態様になっている。
【００６９】
容器本体１（マウンティングキャップ２）から取外したキャップ１２の蓋状部１１を下方に押圧するなどして薄肉状連結部１１ａを切断し（図１１参照）、これにより蓋状部１１とは別部材となる筒状部１０を上下反転させた倒立状態でマウンティングキャップ２に係合させると、ガス抜きモードに移行する。
【００７０】
図１２のガス抜きモードでは、
(61)筒状部１０の起立壁外周面突状部１０ｅがマウンティングキャップ２の環状クリンチ部２ｂに強く係合し、
(62)筒状部１０の開口域１０ｈが操作ボタン３の上側部分を通過した状態で、当該筒状部の内端側上面１０ｇが当該操作ボタンの環状段部３ｃを押圧して作動モード対応位置まで押し下げた、
態様になっている。このとき、操作ボタン３の下側外周面部分は筒状部１０の起立壁１０ｄの内周面で保持される。
【００７１】
そして、この操作ボタン３の作動モード対応位置への押下げ状態は上記(61)の係合作用により継続し、容器本体１の残留ガスはステム，噴射孔３ｂなどを経て放出され、上部の外部空間へと移動していく。
【００７２】
図１３乃至図１５の第５のキャップ１５は、その蓋状部１４の外側蓋部材１４ａで操作ボタン３をガス抜きモードに設定して保持する点などで、図１０〜図１２の第４のキャップ１２と異なっている。
【００７３】
キャップ１５に関する図１３の静止モードでは、
(71)筒状部１３の膨出域１３ａのみがマウンティングキャップ２の外側環状端部２ａと上述のように弱く係合し、
(72)蓋状部１４（≒外側蓋部材１４ａ＋中央蓋部材１４ｆ）は、外側薄肉状連結部１３ｂによって筒状部１３と一体化した、
態様になっている。
【００７４】
ガス抜きモードの設定に際しては図１４に示すように、
・先ず、容器本体１（マウンティングキャップ２）からキャップ１５を取外し、
・次に、キャップ１２の外側蓋部材１４ａを上方に押圧するなどし、かつ、当該外側蓋部材に対して中央蓋部材１４ｆを下方に押圧するなどして、外側薄肉状連結部１３ｂおよび外側薄肉状連結部１４ｇをともに切断し、
・この切断により単一部材となった外側蓋部材１４ａをその正立状態のままマウンティングキャップ２に係合させる、
ことになる。
【００７５】
図１５のガス抜きモードでは、
(81)外側蓋部材１４ａの垂下壁外周面突状部１４ｃがマウンティングキャップ２の環状クリンチ部２ｂに強く係合し、
(82)外側蓋部材１４ａの開口域１４ｊが操作ボタン３の上側部分を通過した状態で、当該外側蓋部材の内端側天井面１４ｄが当該操作ボタンの環状段部３ｃを押圧して作動モード対応位置まで押し下げた、
態様になっている。このとき、操作ボタン３の下側外周面部分は外側蓋部材１４ａの垂下壁１４ｂの内周面で保持される。
【００７６】
そして、この操作ボタン３の作動モード対応位置への押下げ状態は上記(81)の係合作用により継続し、容器本体１の残留ガスはステム，噴射孔３ｂなどを経て放出される。
【００７７】
なお、図１５のガス抜きモードの場合、操作ボタン３の作動モード対応位置への設定部材として、高さが低くて環状の外側蓋部材１４を用いている。
そのため図１５に示すように、操作ボタン３の上側部分は環状内部の開口域１４ｊから飛び出した形となり、その噴射孔３ｂの前方が当該外側蓋部材で遮られるようなことはなく、残留ガスは当該噴射孔から前方空間に自然流の態様で流出していく。
【００７８】
本発明が、図示のキャップ構造に限定されないことは勿論であって例えば、
(91)図１〜図６の下側キャップ部４，７と上側キャップ部５，８との係合作用を、
・下側キャップ部の垂下筒内周面突状部４ｆ，起立壁外周面突状部７ｇと上側キャップ部の垂下壁外周面突状部５ｄ，内筒内周面突状部８ｄとの間
・下側キャップ部の起立筒外周面突状部４ｄ，中径筒外周面突状部７ｄと上側キャップ部５，８の外筒内周面突状部５ｂ，８ｂとの間
のいずれか一方とする、
(92)ガス抜きモードにおけるマウンティングキャップ２との係合作用部分として垂下壁５ｃの代わりに外筒５ａを用いる、
(93)ガス抜きモードにおけるマウンティングキャップ２との係合作用部分として内側筒状部分５ｃおよび外側筒状部分５ａを用いる、
(94)上側キャップ部５の天井部分，周面部分や、下側キャップ部７，７’，筒状部１０の周面部分にガス流出用の孔部を設ける、
(95)上側キャップ部８の天井面８ｅに操作ボタン押下げ用の棒状垂下部を設け、かつ外筒内周面突状部８ｂをガス抜きモードにおけるマウンティングキャップ２との係合作用部分として用い、分離した下側キャップ部７および上側キャップ部８のいずれもガス抜きモード設定保持部材として利用可能とする、
ようにしてもよい。
【００７９】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００８０】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。なお、内容物がクリーム状やゲル状などの粘度が高い場合や金属への腐食性が高い場合は、容器本体の内部に合成樹脂製の内袋を備えた二重構造のエアゾール容器を用いることが好ましい。
【００８１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００８２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００８３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００８４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００８５】
高分子化合物としては、メチルセルロース，ゼラチン，デンプン，カゼイン，ヒドロキシエチルセルロース，キサンタンガム，カルボキシビニルポリマーなどを用いる。
【００８６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００８７】
さらに、上記内容物以外の、懸濁剤，紫外線吸収剤，乳化剤，保湿剤，酸化防止剤、金属イオン封鎖剤なども用いることができる。
【００８８】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００８９】
【図１】第１のキャップ（上側部分＋下側部分）の筒状の下側キャップ部とマウンティングキャップとの弱係合状態（静止モード）を示す説明図である。
【図２】図１のキャップをマウンティングキャップから取り外した状態を示す説明図である。
【図３】図２の離脱キャップから取り外された蓋状の上側キャップ部とマウンティングキャップとの強係合状態（ガス抜きモード）を示す説明図である。
【図４】第２のキャップ（上側部分＋下側部分）の筒状の下側キャップ部とマウンティングキャップとの弱係合状態（静止モード）を示す説明図である。
【図５】図４のキャップをマウンティングキャップから取り外した状態を示す説明図である。
【図６】図５の離脱キャップから取り外されて上下反転状態の筒状の下側キャップ部とマウンティングキャップとの強係合状態（ガス抜きモード）を示す説明図である。
【図７】第３のキャップ（上側部分＋下側部分）の筒状の下側キャップ部とマウンティングキャップとの弱係合状態（静止モード）を示す説明図である。
【図８】図７のキャップをマウンティングキャップから取り外した状態を示す説明図である。
【図９】図８の離脱キャップから取り外されて上下反転状態の筒状の下側キャップ部と、マウンティングキャップとの強係合状態（ガス抜きモード）を示す説明図である。
【図１０】第４のキャップ（蓋状部＋筒状部）の筒状部とマウンティングキャップとの弱係合状態（静止モード）を示す説明図である。
【図１１】図１０のキャップをマウンティングキャップから取り外した状態を示す説明図である。
【図１２】図１１の離脱キャップから取りされて上下反転状態の筒状部とマウンティングキャップとの強係合状態（ガス抜きモード）を示す説明図である。
【図１３】第５のキャップ（蓋状部＋筒状部）の筒状部とマウンティングキャップとの弱係合状態（静止モード）を示す説明図である。
【図１４】図１３のキャップをマウンティングキャップから取り外した状態を示す説明図である。
【図１５】図１４の離脱キャップから取り外された蓋状部とマウンティングキャップとの強係合状態（ガス抜きモード）を示す説明図である。
【符号の説明】
【００９０】
（以下の１，２，３は図１〜図１５で使用）
１：エアゾール式製品の容器本体
２：マウンティングキャップ
２ａ：外側端部
２ｂ：クリンチ部
３：操作ボタン
３ａ：操作面
３ｂ：噴射孔
３ｃ：環状段部
（以下の４，５，６は図１〜図３のみで使用）
４：下側キャップ部
４ａ：膨出域
４ｂ：環状天板部分
４ｃ：起立筒
４ｄ：起立筒外周面突状部
４ｅ：垂下筒
４ｆ：垂下筒内周面突状部
４ｇ：開口域
５：上側キャップ部
５ａ：外筒
５ｂ：外筒内周面突状部
５ｃ：垂下壁
５ｄ：垂下壁外周面突状部
５ｅ：開口部
５ｆ：天井面
５ｇ：棒状垂下部
６：第１のキャップ
（以下の７，７’，８，８’，９，９’は図４〜図９のみで使用）
７，７’：下側キャップ部
７ａ，７ａ’：大径筒
７ｂ，７ｂ’：複数の膨出域
７ｃ：中径筒
７ｄ：中径筒外周面突状部
７ｅ，７ｅ’：天板部分
７ｆ，７ｆ’：起立壁
７ｇ，７ｇ’：起立壁外周面突状部
７ｈ，７ｈ’：開口部
７ｊ，７ｊ’：内端側上面
７ｋ，７ｋ’：開口域
８，８’：上側キャップ部
８ａ，８ａ’：外筒
８ｂ，８ｂ’：外筒内周面突状部
８ｃ，８ｃ’：内筒
８ｄ，８ｄ’：内筒内周面突状部
８ｅ，８ｅ’：天井面
９：第２のキャップ
９’：第３のキャップ
（以下の１０，１１，１２は図１０〜図１２のみで使用）
１０：筒状部
１０ａ：胴体部分
１０ｂ：膨出域
１０ｃ：天板部分
１０ｄ：起立壁
１０ｅ：起立壁外周面突状部
１０ｆ：開口部
１０ｇ：内端側上面
１０ｈ：開口域
１１：蓋状部
１１ａ：薄肉状連結部
１１ｂ：天井面
１２：第４のキャップ
（以下の１３，１４，１５は図１３〜図１５のみで使用）
１３：筒状部
１３ａ：膨出域
１３ｂ：外側薄肉状連結部
１４：蓋状部
１４ａ：外側蓋部材
１４ｂ：垂下壁
１４ｃ：垂下壁外周面突状部
１４ｄ：内端側天井面
１４ｅ：開口部
１４ｆ：中央蓋部材
１４ｇ：内側薄肉状連結部
１４ｈ：天井面
１４ｊ：開口域
１５：第５のキャップ
【図１】
2008207876.tif 000003
【図２】
2008207876.tif 000004
【図３】
2008207876.tif 000005
【図４】
2008207876.tif 000006
【図５】
2008207876.tif 000007
【図６】
2008207876.tif 000008
【図７】
2008207876.tif 000009
【図８】
2008207876.tif 000010
【図９】
2008207876.tif 000011
【図１０】
2008207876.tif 000012
【図１１】
2008207876.tif 000013
【図１２】
2008207876.tif 000014
【図１３】
2008207876.tif 000015
【図１４】
2008207876.tif 000016
【図１５】
2008207876.tif 000017